(57)【要約】【課題】ベルト幅が異なる複数の伝動ベルトに対応可能な伝動ベルト用プーリを提供する。【解決手段】プーリ本体３を外周面のＶ溝４の溝底で第一部材７及び第二部材８に分割する。第一、第二部材７、８間にスペーサー５を設けて、両部材７、８の間隔を所定の大きさに設定する。スペーサー５を複数枚の円板９を重ねた構成とする。Ｖベルト１のベルト幅に応じて、円板９の枚数を増減させる。両部材７、８の間隔が変わり、Ｖ溝４の溝幅（Ｂ）を調節できる。ベルト幅が異なる複数の伝動ベルトに対応することができる。【選択図】  図１
2004169871.tif 000002
【特許請求の範囲】
【請求項１】
伝動ベルトを掛巻されるプーリ本体が回転軸方向に複数の部材に分割され、前記複数の部材は、回転軸方向に相対的に移動可能かつ所定の間隔で固定可能とされ、前記伝動ベルトの幅に応じて前記部材の間隔を変えることにより、プーリ幅を変更することを特徴とする伝動ベルト用プーリ。
【請求項２】
前記プーリ本体は、Ｖベルトを掛巻するためのＶ溝が形成され、該Ｖ溝の溝底で複数の部材に分割され、前記Ｖベルトの幅に応じて前記部材間の間隔を変えることにより、Ｖ溝の幅を変更することを特徴とする請求項１記載の伝動ベルト用プーリ。
【請求項３】
前記部材の間隔を所定の大きさに設定するためのスペーサーが設けられたことを特徴とする請求項２記載の摩擦伝動ベルト用プーリ。
【請求項４】
前記スペーサーは、複数枚の円板を回転軸方向に重ねてなり、前記円板の枚数を選択することにより、Ｖ溝の幅を調整可能とされたことを特徴とする請求項３記載の摩擦伝動ベルト用プーリ。
【請求項５】
前記スペーサーは、ゴム状弾性体から形成され、該ゴム状弾性体の弾性力を利用してＶ溝の幅を調整可能とされたことを特徴とする請求項３記載の摩擦伝動ベルト用プーリ。
【請求項６】
伝動ベルトを掛巻されるプーリ本体が回転軸方向に複数の部材に分割され、前記複数の部材は、回転軸の周りに着脱自在に装着され、前記伝動ベルトの幅に応じて、回転軸に装着する部材の数を変えることにより、プーリ幅を変更することを特徴とする伝動ベルト用プーリ。
【請求項７】
Ｖリブドベルトを掛巻するための複数のプーリ溝を有するプーリ本体が回転軸方向に複数の部材に分割され、前記複数の部材は、回転軸の周りに着脱自在に装着され、前記Ｖリブドベルトのリブ数に応じて、回転軸に装着する部材の数を変えることにより、プーリ溝の数を変更することを特徴とする伝動ベルト用プーリ。
【請求項８】
前記プーリ本体は、プーリ溝の溝底で分割されたことを特徴とする請求項７記載の伝動ベルト用プーリ。
【発明の詳細な説明】
【０００１】
【発明の属する技術分野】
本発明は、ＶベルトやＶリブドベルトなどの伝動ベルトを掛巻して使用する伝動ベルト用プーリに関するものである。
【０００２】
【従来の技術】
一般に、伝動ベルト用プーリは、これに掛巻される伝動ベルトの断面形状に対応する形状とされ、各伝動ベルトに対する専用のものが用いられている。そのプーリ幅はベルト幅に応じて設定され、Ｖベルト用プーリでは、そのＶ溝の溝幅をＶベルトのベルト幅に対応させ、Ｖリブドベルト用プーリでは、そのプーリ溝の数をＶリブドベルトのリブ数に対応させている。
【０００３】
【発明が解決しようとする課題】
ところが、各伝動ベルトに対する専用のプーリを用いる場合、異なるベルト幅の伝動ベルトを採用する度に、プーリ製造用の鋳型などの設備を新たに用意する必要がある。また、ベルト幅が異なる複数の伝動ベルトを適宜交換して使用するときには、伝動ベルトと同じ数のプーリを用意する必要があり、その分コストが高くなる。
【０００４】
本発明は、ベルト幅が異なる複数の伝動ベルトに対応することができる伝動ベルト用プーリを提供することを目的とする。
【０００５】
【課題を解決するための手段】
上記課題に鑑み、本発明は、伝動ベルトを掛巻されるプーリ本体を回転軸方向に複数の部材に分割し、この複数の部材を回転軸方向に相対的に移動可能かつ所定の間隔で固定可能にした伝動ベルト用プーリを提供するものである。この伝動ベルト用プーリは、これに掛巻される伝動ベルトの幅に応じて、部材の間隔を変えてプーリ幅を変更することにより、ベルト幅が異なる複数の伝動ベルトに対応することができる。
【０００６】
伝動ベルトとしては、平ベルトや歯付ベルトなどどのようなものであってもよいが、Ｖベルトを採用することにより、本発明のより好適な態様を提供することができる。この場合、プーリ本体にＶベルトを掛巻するためのＶ溝を形成して、プーリ本体をＶ溝の溝底で複数の部材に分割し、Ｖベルトの幅に応じて、部材間の間隔を変えてＶ溝の幅を変更する。
【０００７】
この構成によれば、部材間の隙間付近の伝動ベルトへの接触を阻止して、その隙間による伝動ベルトへの影響を防止することができる。つまり、Ｖベルトは、その側面をプーリのＶ溝側壁に接触させて支持され、その底面がプーリのＶ溝の溝底に接触しないようになっている。そのため、プーリ本体をＶ溝の溝底で分割することにより、部材間の隙間付近のＶベルトへの接触を阻止できる。
【０００８】
部材の間隔を所定の大きさに設定するためのスペーサーを設ければ、所望の大きさのスペーサーを装着することにより、容易に部材を位置決めすることができる。なお、部材を所定の間隔で固定する手段として、スペーサーの代わりにねじなどを用いてもよい。
【０００９】
スペーサーとしては、複数枚の円板を回転軸方向に重ねて、その円板の枚数を選択することにより、Ｖ溝の幅を調整可能とする構成を例示でき、円板の枚数を増減させることにより、簡単にプーリ幅を変更することができる。長期使用によりＶベルトが摩耗してそのベルト幅が小さくなったとき、一部の円板を取り外すことにより、Ｖ溝の幅を小さくしてＶベルトの使用を継続することができる。
【００１０】
スペーサーの別の構成として、スペーサーをゴム状弾性体から形成し、このゴム状弾性体の弾性力を利用してＶ溝の幅を調整可能としてもよい。そうすれば、ゴム状弾性体の変形量を調節することにより、簡単にプーリ幅の微調整ができる。摩耗によりＶベルトのベルト幅が小さくなったとき、ゴム状弾性体を圧縮することにより、Ｖ溝の幅を小さくしてＶベルトの使用を継続することができる。
【００１１】
また、本発明は、伝動ベルトを掛巻されるプーリ本体を回転軸方向に複数の部材に分割し、この複数の部材を回転軸の周りに着脱自在に装着した伝動ベルト用プーリを提供する。この伝動ベルト用プーリは、これに掛巻される伝動ベルトの幅に応じて、回転軸に装着する部材の数を変えてプーリ幅を変更することにより、ベルト幅が異なる複数の伝動ベルトに対応することができる。
【００１２】
伝動ベルトとしては、平ベルトや歯付ベルトなどどのようなものであってもよいが、Ｖリブドベルトを採用することにより、本発明のより好適な態様を提供することができる。この場合、Ｖリブドベルトのリブ数に応じて、回転軸に装着する部材の数を変えることにより、プーリ溝の数を変更する。プーリ本体をプーリ溝の溝底で分割すれば、Ｖベルトを掛巻するときと同様に、部材間の隙間のＶリブドベルトへの影響を防止することができる。
【００１３】
【発明の実施の形態】
以下、本発明に係る伝動ベルト用プーリの実施の形態について、図面を用いて説明する。この伝動ベルト用プーリは、プーリ本体を回転軸の中心軸方向に複数の部材に分割することにより、そのプーリ幅を変更可能にして、ベルト幅が異なる複数の伝動ベルトに対応できるようにするものである。
【００１４】
［第一実施形態］  第一実施形態の伝動ベルト用プーリは、掛巻される伝動ベルトのベルト幅に応じて、プーリ本体を構成する部材の間隔を変えることにより、プーリ幅を変更するものである。図１は本発明の第一実施形態の伝動ベルト用プーリ（Ｖベルト用プーリ）を示す図で、上半分は断面図、下半分は側面図である。
【００１５】
この伝動ベルト用プーリは、Ｖベルト１を掛巻して使用するＶベルト用プーリであり、回転軸２の中心軸方向に二分割されたプーリ本体３と、プーリ本体３の外周面に周方向に連続して形成された断面略台形のＶ溝４と、Ｖ溝４の溝幅（Ｂ）を所定の大きさに設定するためのスペーサー５と、プーリ本体３及びスペーサー５を保持する保持管６とを備えている。
【００１６】
プーリ本体３は、例えば鋼製で、その外周面に形成されたＶ溝４の溝底を構成する溝底部３ａと、Ｖ溝４の側壁を構成する二箇所の傾斜部３ｂと、両傾斜部３ｂの外端側の肩部３ｃとからなる断面略凹形のリング状とされ、そのＶ溝４にＶベルト１を掛巻するようになっている。
【００１７】
このプーリ本体３は、溝底部３ａの中央までと傾斜部３ｂ及び肩部３ｃとからなる断面略Ｌ字形の第一部材７及び第二部材８に分割され、両部材７、８の溝底部３ａ間にスペーサー５を介在させて保持管６にスライド自在に外嵌される。ここで、Ｖ溝４は、その側壁にＶベルト１の側面を接触させて支持するものであり、Ｖベルト１の底面とＶ溝４の溝底との間に隙間が形成される。
【００１８】
スペーサー５は、複数枚の円板９を回転軸２の中心軸方向に重ねてなり、Ｖベルト１のベルト幅に応じて円板９の枚数を選択することにより、両部材７、８の間隔を調節してＶ溝４の溝幅（Ｂ）を所望の大きさに設定する。各円板９は、例えば円形鋼板の中央に保持管５を挿通する挿通穴を形成してなり、両部材７、８間に介在させて保持管５に外嵌したときＶ溝４の溝底から突出しない大きさとされて、スペーサー５のＶベルト１への接触が阻止される。
【００１９】
保持管６は、例えば鋼製のパイプ状とされ、この保持管６を回転軸２のプーリ装着部１０に外嵌することにより、保持管６の外周側に保持されるプーリ本体３及びスペーサー５が回転軸２に装着される。保持管６の外径は、プーリ本体３の内径よりもわずかに小さくされ、保持管６の内径は、回転軸２のプーリ装着部１０の外径よりもわずかに大きくされる。
【００２０】
保持管６の一側端部には、その外周面から軸直角方向外向きに突出してプーリ本体３及びスペーサー５の一側への抜け出しを規制するストッパー１１が形成されている。ストッパー１１は、周方向に連続して形成され、その一側面に座金１２が当接される。座金１２の一側から回転軸２のプーリ装着部１０にボルト１３を螺合することにより、保持管６が他側方向に押圧される。
【００２１】
これにより、プーリ本体３及びスペーサー５がストッパー１１と回転軸２のプーリ座１４との間に挟圧されて、その軸方向の移動が規制され、Ｖ溝４の溝幅（Ｂ）が所定の大きさに保たれる。なお、保持管６の他側端からストッパー１１の他側面までの長さは第一、第二部材７、８の軸方向長さの合計よりも長くされる。スペーサー５を介在させないとき、保持管６の他側端が回転軸２のプーリ座１４に当接し、プーリ本体３及びスペーサー５の移動を規制しない。
【００２２】
上記構成によれば、ベルト幅が異なるＶベルト１を掛巻するとき、円板９の枚数を増減させることにより両部材７、８の間隔を変えて、Ｖ溝４の溝幅（Ｂ）を変更することができる。また、長期使用によってＶベルト１が摩耗したとき、一部の円板９を取り外してＶ溝４の溝幅（Ｂ）を狭くすることができる。
【００２３】
［第二実施形態］  第二実施形態の伝動ベルト用プーリは、第一実施形態とほぼ同じ構成であるが、掛巻される伝動ベルトのベルト幅に応じて、プーリ本体を構成する部材のうちの回転軸に装着する部材の数を変えることにより、プーリ幅を変更するものである。図２は本発明の第二実施形態の伝動ベルト用プーリ（Ｖリブドベルト用プーリ）を示す図で、上半分は断面図、下半分は側面図である。
【００２４】
この伝動ベルト用プーリは、Ｖリブドベルト２１を掛巻して使用するＶリブドベルト用プーリであり、回転軸方向に複数に分割されたプーリ本体２２と、プーリ本体２２の外周面に周方向に連続して形成された断面略Ｖ字形の複数のプーリ溝２３ａ、２３ｂとを備えている。
【００２５】
プーリ本体２２は、例えば鋼製で断面略長方形のリング状とされ、その外周面にＶリブドベルト１を掛巻するようになっている。このプーリ本体３は、両端のプーリ溝２３ａを除くプーリ溝２３ｂの溝底中央で複数の部材２４ａ、２４ｂに分割され、所望の数の部材２４ａ、２４ｂが第一実施形態と同様の保持管６にスライド自在に外嵌される。
【００２６】
部材２４ａは、その外周面に一つのプーリ溝２３ａとその両側のプーリリブ２５とが形成された断面略長方形とされる。部材２４ｂは、その外周面に一つのプーリリブ２５が形成された断面略長方形とされる。ここで、Ｖリブドベルト２１の底面とプーリ溝２３ｂとの間には隙間が形成され、部材２４ａ、２４ｂ同士の境界部にＶリブドベルト２１が接触しないようになっている。
【００２７】
保持管６を回転軸２に装着することにより、保持管６の外周側に保持されるプーリ本体２２が回転軸２に装着される。ボルト１３により保持管６を他側方向に押圧することにより、プーリ本体２２がストッパー１１とプーリ座１４との間に挟圧されて、その軸方向の移動が規制される。
【００２８】
上記構成によれば、例えば図３に示すように、ベルト幅が異なるＶリブドベルト２１を掛巻するとき、回転軸２に装着する部材２４ａ、２４ｂの数を増減させることにより、プーリ幅を変更することができる。このプーリ幅の変更に伴って、プーリ溝２３ｂの数もＶリブドベルト２１のリブ数に応じて変更することができる。
【００２９】
なお、本発明は、上記の実施の形態に限定されず、本発明の範囲内において適宜変更を加えることができる。例えば、第一実施形態では図４に示すように、複数枚の円板９を重ねてなるスペーサー５の代わりに、ゴム状弾性体から形成されたスペーサー３１を装着し、このスペーサー３１の弾性力を利用してＶ溝４の溝幅（Ｂ）を微調整するようにしてもよい。
【００３０】
この構成では、所望の長さのスペーサー３１を装着して、ボルト１３の締付力を調節することにより、スペーサー３１の変形量を調整する。Ｖベルト１が摩耗したとき、ボルト１３をより強く締めることによりＶ溝４の溝幅（Ｂ）を狭くすることができる。なお、図４のＶベルト用プーリは、保持管６を用いる代わりに、第一部材３２を断面略Ｔ形として、その円筒部３３の外周側に第二部材３４をスライド自在に保持するようになっている。
【００３１】
図４のＶベルト用プーリは、第一部材３２及び第二部材３４が相対的に移動可能かつ所定の間隔で固定可能であればよく、図５に示すように、スペーサー３１を設ける代わりに、ねじ３５を用いて第二部材３４を第一部材３２の円筒部３３に固定してもよい。
【００３２】
スペーサーは、円板９を重ねたものやゴム状弾性体から形成したものを装着する代わりに、長さが異なる複数のものを用意しておき、所望の長さのものを装着して、適宜交換するようにしてもよい。また、スペーサーを用いずに、回転軸２に螺合したプーリ本体を軸周りに回転させて、両部材の間隔を調節するようにしてもよい。
【００３３】
また、第一実施形態及び第二実施形態において、伝動ベルトは、Ｖベルト１及びＶリブドベルト２１だけでなく、平ベルトや歯付ベルトなどどのようなものであってもよい。
【００３４】
【発明の効果】
以上の説明から明らかな通り、本発明では、プーリ本体を複数の部材に分割して、その部材同士の間隔を変えることにより、あるいは回転軸に装着する部材の数を変えることにより、プーリ幅を変更可能にしている。その結果、ベルト幅が異なる各伝動ベルトに対して専用のプーリを用意する必要がないので、プーリ製造用の鋳型などが少なくてすむ。また、ベルト幅が異なる複数の伝動ベルトを適宜交換して使用するとき、用意するプーリの数を少なくすることができ、その分コストを安くすることができる。
【図面の簡単な説明】
【図１】本発明の第一実施形態の伝動ベルト用プーリ（Ｖベルト用プーリ）を示す図で、上半分は断面図、下半分は側面図
【図２】本発明の第二実施形態の伝動ベルト用プーリ（Ｖリブドベルト用プーリ）を示す図で、上半分は断面図、下半分は側面図
【図３】図２のＶリブドベルト用プーリのプーリ幅を大きくしたときの図で、上半分は断面図、下半分は側面図
【図４】ゴム状弾性体からなるスペーサーを有するＶベルト用プーリを示す図で、上半分は断面図、下半分は側面図
【図５】部材間隔を固定するねじを有するＶベルト用プーリを示す図で、上半分は断面図、下半分は側面図
【符号の説明】
１    Ｖベルト
２    回転軸
３    プーリ本体
４    Ｖ溝
５    スペーサー
７    第一部材
８    第二部材
９    円板
２１  Ｖリブドベルト
２２  プーリ本体
２３ａ、２３ｂ  プーリ溝
２４ａ、２４ｂ  部材
３１  スペーサー
３２  第一部材
３４  第二部材
【図１】
2004169871.tif 000003
【図２】
2004169871.tif 000004
【図３】
2004169871.tif 000005
【図４】
2004169871.tif 000006
【図５】
2004169871.tif 000007